(57)【要約】【課題】筐体１ａ内に変動表示ゲームのためのドラム状の表示装置１０を設け、筐体１ａの前面を覆うように前面枠２を設けて該前面枠２を筐体１ａの一側のヒンジにより筐体１ａに蝶着し、前面枠２の窓部３を介して表示装置１０による図柄の変動表示を遊技者に視認させるスロットマシン１において、島設備への設置作業の能率を向上させる。【解決手段】筐体１ａの側面から離隔した離隔状態に維持可能な握持バー３４を有する取っ手ユニット３０を、筐体１ａの側面に設け、この取っ手ユニット３０を利用して、隣接する遊技機との間隙を確認できる構成とする。【選択図】図１
2007175359.tif 000002
【特許請求の範囲】
【請求項１】
筐体と、該筐体の前面を覆うように配置されて該筐体の一側に設けたヒンジにより該筐体に蝶着された前面枠と、該前面枠又は前記筐体に設けられて、前面枠の窓部より前方に臨む表示部を有する表示装置とを備え、前記前面枠が前方に膨出状に形成された遊技機において、
前記筐体は、その側壁部に収納開口を設けて取っ手ユニットを収納可能とし、
該取っ手ユニットは、
握持バー、該握持バーと平行な第１回動軸、これら握持バーと第１回動軸の両側部を連結し少なくとも１つが中空に形成された一対の連結部、からなる取っ手部材と、
前記第１回動軸と平行な第２回動軸、前記中空の連結部内をスライド可能なスライド部、前記第２回動軸とスライド部を連結する腕部、からなるスライド部材と、
前記側壁部に取り付けられて、前記第１回動軸及び第２回動軸を前後方向に向けた姿勢で自転可能に支持する支持部材と、を有し、
前記スライド部には、前記中空の連結部の表面に対して出没する方向に移動可能に支持されて先端に押圧操作用の突部を有する可動部材と、前記突部が前記中空の連結部の表面から突出する方向に前記可動部材を付勢する付勢部材とを有し、
前記中空の連結部は、前記突部が前記付勢部材の付勢力によって嵌入可能な開口部を有し、
前記取っ手部材は、
前記開口部に前記突部が嵌入すると、前記スライド部の一方向への動きがこの開口部と突部の係合によって制限され、これに伴って当該取っ手部材と前記スライド部材の下向きの回転運動が制限されることによって、前記連結部が前記筐体側面から側方に伸びて前記握持バーが前記筐体側面から離隔した離隔状態に維持可能となり、
前記突部が押圧操作によって前記スライド部内に押し込まれて前記突部と開口部の係合が解除されると、前記スライド部の一方向への動きが可能となることによって、前記隔離状態から、当該取っ手部材が前記収納開口に収納される収納状態まで、当該取っ手部材と前記スライド部材の下向きの回転運動が可能となることを特徴とする遊技機。
【請求項２】
前記取っ手部材が前記離隔状態から上向きに回転運動するのに伴って前記スライド部がスライドする他方向に、前記開口部を拡大することにより、前記取っ手部材が前記離隔状態を超えて上向きに回転運動可能な構成とし、
前記取っ手部材には、前記離隔状態を超えた上向きの回転運動を所定角度までに制限するためのストッパ部を設け、
前記筐体の側壁部には、前記ストッパ部に当接して、前記取っ手部材の回転制限を実現する当接部を設け、
前記ストッパ部が前記当接部に当接した回転制限状態においては、前記突部が前記開口部に対して遊嵌状態となる構成としたことを特徴とする請求項１に記載の遊技機。
【発明の詳細な説明】
【技術分野】
【０００１】
本発明は、パチスロ遊技機やパチンコ機などの遊技機に関する。
【背景技術】
【０００２】
従来の遊技機、例えばパチスロ遊技機（パチンコ式スロットマシン）では、筐体内に変動表示ゲームのためのドラム状の表示装置を設け、筐体の開放面（前面）を覆うように前面枠を設けて該前面枠を筐体の一側のヒンジにより筐体に蝶着し、前面枠の窓部を介して表示装置を遊技者に視認させるものが知られている。
また、パチンコ機では、変動表示ゲームのための表示部（液晶表示装置等よりなる表示部）が設けられた遊技盤を前面枠に取り付け、この前面枠を島側に固定される機枠（一種の筐体）の一側にヒンジにより蝶着した構成のものが知られている。
また、上記パチスロ遊技機やパチンコ機は、遊技店において島設備に複数並設される。
そして、この種の遊技機は、例えば特許文献１の開示のように、前面枠がヒンジより遊技者側（前面側）に膨出している。
【０００３】
【特許文献１】特開２００３−２１０６５３号公報
【発明の開示】
【発明が解決しようとする課題】
【０００４】
ところで、上記の遊技機の前面枠を開放する際に隣（ヒンジ側）の遊技機の前面枠と緩衝することを防止するために、隣の遊技機との間に間隙を設ける必要があるが、間隙が形成されているか否かを確認するために治具（スペーサ）を用意したり、前面枠を開放したりすることが島設備に対する遊技機の設置作業を煩わしくしている。
そこで本発明は、島設備への設置作業の能率を向上できる遊技機の提供を目的とする。
【課題を解決するための手段】
【０００５】
本願請求項１に記載の遊技機は、筐体と、該筐体の前面を覆うように配置されて該筐体の一側に設けたヒンジにより該筐体に蝶着された前面枠と、該前面枠又は前記筐体に設けられて、前面枠の窓部より前方に臨む表示部を有する表示装置とを備え、前記前面枠が前方に膨出状に形成された遊技機において、
前記筐体は、その側壁部に収納開口を設けて取っ手ユニットを収納可能とし、
該取っ手ユニットは、
握持バー、該握持バーと平行な第１回動軸、これら握持バーと第１回動軸の両側部を連結し少なくとも１つが中空に形成された一対の連結部、からなる取っ手部材と、
前記第１回動軸と平行な第２回動軸、前記中空の連結部内をスライド可能なスライド部、前記第２回動軸とスライド部を連結する腕部、からなるスライド部材と、
前記側壁部に取り付けられて、前記第１回動軸及び第２回動軸を前後方向に向けた姿勢で自転可能に支持する支持部材と、を有し、
前記スライド部には、前記中空の連結部の表面に対して出没する方向に移動可能に支持されて先端に押圧操作用の突部を有する可動部材と、前記突部が前記中空の連結部の表面から突出する方向に前記可動部材を付勢する付勢部材とを有し、
前記中空の連結部は、前記突部が前記付勢部材の付勢力によって嵌入可能な開口部を有し、
前記取っ手部材は、
前記開口部に前記突部が嵌入すると、前記スライド部の一方向への動きがこの開口部と突部の係合によって制限され、これに伴って当該取っ手部材と前記スライド部材の下向きの回転運動が制限されることによって、前記連結部が前記筐体側面から側方に伸びて前記握持バーが前記筐体側面から離隔した離隔状態に維持可能となり、
前記突部が押圧操作によって前記スライド部内に押し込まれて前記突部と開口部の係合が解除されると、前記スライド部の一方向への動きが可能となることによって、前記隔離状態から、当該取っ手部材が前記収納開口に収納される収納状態まで、当該取っ手部材と前記スライド部材の下向きの回転運動が可能となることを特徴とする。
【０００６】
なお、本発明の好ましい態様として、例えば請求項２に記載のように、前記取っ手部材が前記離隔状態から上向きに回転運動するのに伴って前記スライド部がスライドする他方向に、前記開口部を拡大することにより、前記取っ手部材が前記離隔状態を超えて上向きに回転運動可能な構成とし、
前記取っ手部材には、前記離隔状態を超えた上向きの回転運動を所定角度までに制限するためのストッパ部を設け、
前記筐体の側壁部には、前記ストッパ部に当接して、前記取っ手部材の回転制限を実現する当接部を設け、
前記ストッパ部が前記当接部に当接した回転制限状態においては、前記突部が前記開口部に対して遊嵌状態となる構成としてもよい。
【発明の効果】
【０００７】
請求項１に記載の遊技機によれば、取っ手部材を重力に反して筐体側面から離隔した離隔状態に維持できるので、この取っ手部材を利用して、隣の遊技機との間の間隙が形成されているか否かを確認することが、容易に可能となり、そのための治具（スペーサ）を別個に用意したり、前面枠を開放したりする必要が無く、島設備への設置作業の能率を格段に向上できる。
また、筐体側面から離隔した離隔状態に維持された取っ手部材を、突部の押圧操作によって、収納開口に収納された収納状態に回転させることができるので、例えば遊技機が島設備の端に設置されるような場合に、島設備の端側の取っ手部材をこの収納状態としておくことによって、この位置に無駄な空間を形成することがない。
【０００８】
また、請求項２に記載の遊技機によれば、取っ手部材の握持バーを握って遊技機を持ち上げると、ストッパ部が当接部に当接した状態となり、遊技機を取っ手部材を使って容易に持ち上げることが可能となる。しかも、このように持ち上げた状態においては、突部が開口部に対して遊嵌状態となるので、遊技機を持ち上げたときの遊技機の重さによる加重をスライド部や中空の連結部に掛けずに済み、スライド部や中空の連結部の損傷が防止でき、スライド部の離隔状態維持機能を損なうことがない。
【発明を実施するための最良の形態】
【０００９】
以下、本発明の実施の形態として、パチンコ式スロットマシンに適用した場合の形態例を、図面を参照して説明する。
Ａ．スロットマシンの前面構成
まず、スロットマシンの前面構成を説明する。図１は、本発明を適用したスロットマシン１の前面側斜視図である。図２は、スロットマシン１（後述の前面枠２を開けた状態）の上面図である。
スロットマシン１は、筐体１ａ内に変動表示ゲームのためのドラム状の表示装置１０（３個のリール１０ａ、１０ｂ、１０ｃよりなるもの、図２に示す）を設けるとともに、筐体１ａの開放面（前面）を覆うように前面枠２を設け、この前面枠２を筐体１ａの一側のヒンジ２ａ（図２に示す）により筐体１ａに対して蝶着し、この前面枠２の窓部３を介して表示装置１０による図柄の変動表示を遊技者に視認させる構成となっている。
前面枠２は、筐体１ａの開放面（前面）を覆う状態において、ヒンジ２ａより前方に膨出している。
筐体１ａには、その左右両側の側壁部に収納開口２５が設けられ、この収納開口２５に取っ手ユニット３０が収納可能となっている。取っ手ユニット３０の構成については、後述する。
【００１０】
窓部３は、前面枠２の上半部に設けられ、この窓部３からは、表示装置１０の各リールが停止している状態で各リールの外周面に表記された図柄列のうち３個の図柄がそれぞれ視認可能となっている。つまり、各リールが停止した状態では、窓部３から合計９個の図柄が視認でき、これらが表示装置１０の表示部を構成している。
窓部３の上方には、種々の情報が表示される液晶表示装置等からなる情報表示装置４が設けられている。情報表示装置４では、演出制御装置（図示省略）の制御によって、内部抽選により当選した入賞の種類等の報知が行われる。
窓部３における各リールの左側方には、遊技者が投入したメダル数またはクレジットからベットされた賭数（最高３枚）に対応して有効化されたベットラインを表示するベットライン表示部（図示省略）が設けられている。
【００１１】
ベットライン表示部は、例えば、メダル賭数が１枚のときはベットライン表示部中央の「１」が点灯され中段の横ラインだけが有効ラインであることを示し、メダル賭数が２枚のときはベットライン表示部中央の「１」とその上下に位置する「２」が点灯され上段、中段、下段の３本の横ラインが有効ラインであることを示し、メダル賭数が３枚のときはベットライン表示部の「１」「２」「３」がすべて点灯され３本の横ラインと右下がり、右上がりの２本の斜めラインの計５ラインが有効ラインであることを示す。
【００１２】
窓部３における各リールの右側方には、各種遊技状態を表示する遊技状態表示部（図示省略）が設けられている。遊技状態表示部は、例えば、遊技機がゲームを実行可能な状態であることを示しメダルの投入を示唆する「ＩＮＳＥＲＴ＿ＭＥＤＡＬＳ」表示、リプレイ入賞を獲得したことおよび現在行っている遊技がリプレイ入賞を獲得した後のリプレイゲームであることを示す「ＲＥＰＬＡＹ」表示、遊技者がメダルを投入して後述のスタートレバー２０を操作してからリールストップボタン８ａ、８ｂ、８ｃを受付可能となるまでの待ち時間（待機時間）があることを示す「ＷＡＩＴ」表示、遊技者がリールストップボタンを操作してリールを停止させるか、または所定時間経過して自動的にリールが停止されてゲームが終了したことを示す「ＧＡＭＥ＿ＯＶＥＲ」表示等で構成される。
【００１３】
また図示省略しているが、窓部３における各リールの下方には、遊技者が各種入賞を獲得してメダルの払い出しを受けるときの払出枚数を表示する払出し表示部、ＢＢやＲＢ（後述する）の残りゲーム回数などを表示する遊技進行表示部、メダルのクレジット数を表示するクレジット数表示部が横並びに設けられている。ここで、これらの各表示部は７セグメントＬＥＤや液晶装置などを用いて構成される。
【００１４】
前面枠２の上端部には、透光性を有する前面カバー部材の背部に、ランプ・ＬＥＤ等の発光部材が設けられてなる装飾表示部５が配設されている。
前面枠２の上半部と下半部の中間にある傾斜台部６には、メダルを投入するメダル投入口７が配設され、遊技者はこの投入口にメダルを投入することにより遊技できるようになる。また、傾斜台部６には、１回の押圧操作でクレジット数からベット可能枚数（例えば、クレジット数が３枚以上であれば３ベット、クレジット数が２枚であれば２ベット）だけメダルがベットされるマックスベットボタン９が配設されている。なお、押圧操作によりクレジット数（クレジットデータ）からメダルを１枚ずつベット可能な１ベットボタンが、マックスベットボタン９に加えて設けられていてもよい。このようなメダルベットボタンにより、メダル投入口７よりメダルを投入することなく前記クレジット数表示部に表示されているクレジット数以内でメダルをベットすることができ、この賭数に応じて有効ラインが設定される。
【００１５】
前面枠２の下半部には、矩形状の化粧パネル１９が設けられ、この化粧パネル１９の上部には、メダルをクレジットとして記憶可能なクレジット状態と記憶不能な非クレジット状態の何れか一方の状態に選択的に切換可能なクレジット選択ボタン１８、メダル詰まりを解消させるボタン１８ａ、各リールの回転を開始させるためのスタートレバー２０、及び各リールの回転を停止させるためのリールストップボタン８ａ、８ｂ、８ｃなどが設けられている。
リールストップボタン８ａ、８ｂ、８ｃの各々には、これらボタンが操作可能な状態であるか否かを報知するストップボタンランプ（図示省略）がそれぞれ内蔵されている。例えば、これらのストップボタンランプが点灯していない間は各リールストップボタンを操作不能とし、ランプが点灯した後に各リールストップボタンを操作可能とする。
【００１６】
また、化粧パネル１９の下方には、前面枠２の背部にあるメダル払出部（図示省略）よりメダルを払い出すための払出口２１や、払い出されたメダルを貯留可能な受皿２２や、灰皿２３が設けられている。また、受皿２２の奥側の払出口２１の左右両側には、演出効果音等を出力するスピーカ２４ａ、２４ｂが配設されている。
【００１７】
このスロットマシン１では、表示装置１０の各リールを回転させることで複数の図柄を変動表示させる変動表示ゲームを行い、前記変動表示ゲームが終了したときの図柄の停止表示態様が予め設定された前記有効ライン上において所定の図柄組合せ態様を形成することに関連して所定の遊技価値を遊技者に付与する。
【００１８】
即ち、遊技者による所定数（通常１〜３枚）の遊技媒体（例えば、メダル）のメダル投入口７への投入操作、或いは前記メダルベットボタンによるクレジットからのベット操作に基づく賭数の入力後、スタートレバー２０を操作することにより前記リールを回転させて図柄を変動表示させ、一定時間後自動的にまたは遊技者が各リールに対応して各々備えられたリールストップボタン８ａ、８ｂ、８ｃを操作することにより各リールの回転を順次停止させて図柄組合せ態様（停止表示態様）が確定される。そして、リールが停止した際に、前記賭数の入力に応じて有効化された有効ライン上に形成された図柄組合せ態様が、予め定められた所定の図柄組合せ態様（入賞態様）となった場合に入賞が成立し、入賞種類に対応した数の遊技媒体が遊技者に付与される。
【００１９】
なお、メダルを使用する一般的なスロットマシンにおいては、複数種類の入賞が用意されており、例えば、所定数（例えば１０枚）のメダルが払い出されるのみの小役入賞、１枚のメダルをベットするだけで比較的多数（例えば１５枚）のメダルが払い出されるＪＡＣ入賞、メダルをベットすることなく再度ゲームが可能となるリプレイ入賞、高確率でＪＡＣ入賞を獲得しやすいＪＡＣゲームを所定の回数遊技できるレギュラーボーナス（ＲＢと略記する）を発生させるＲＢ入賞、高確率で小役入賞を獲得しやすい小役ゲームと高確率でＪＡＣ入賞を獲得しやすいＪＡＣゲームとを所定の回数遊技できるビッグボーナス（ＢＢと略記する）を発生させるＢＢ入賞とが用意されている。特に、ＲＢ入賞やＢＢ入賞等は特別入賞と称され、この特別入賞が成立すると小役入賞に比較して大量（１００枚以上）の遊技媒体を一気に獲得することができる特別遊技状態が発生する。
【００２０】
Ｂ．取っ手ユニットの構成
次に、取っ手ユニット３０の構成を説明する。図３は、取っ手ユニット３０の回転制限状態を示す前面図である。図４は、取っ手ユニット３０の離隔状態を示す前面図である。図５は、取っ手ユニット３０の収納状態を示す前面図である。なお、図３〜図５は、筐体１ａの収納開口２５の部分を筐体１ａの前面に平行な面で破断して見た図である。図６は、後述するスライド部材３２等を示す分解斜視図である。図７は、後述する取っ手部材３１とスライド部材３２を示す分解斜視図である。図８は、取っ手部材３１とスライド部材３２の支持部材３３への取付構成を示す斜視図である。図９は、取っ手ユニット３０を斜め下から見上げた斜視図である。図１０は、取っ手部材３１とスライド部材３２の縦断面図である。図１１は、図１０におけるＡ−Ａ断面図である。
【００２１】
取っ手ユニット３０は、取っ手部材３１と、スライド部材３２と、支持部材３３とを有する。
まず取っ手部材３１は、図８に示すように、前後方向に配置される握持バー３４と、この握持バー３４と平行な第１回動軸３５と、これら握持バー３４と第１回動軸３５の両側部を連結する一対の連結部３６，３７とからなる。
【００２２】
ここで、手前側の連結部３７は、図７に示すように、帯板状の連結部本体３８と、この連結部本体３８の内側に固定される連結部内壁部材３９とからなり、内部に連結部本体３８の長手方向に沿った細長い空間（以下、スライド空間４０という）を有する中空状に形成されている。連結部本体３８は、先端が握持バー３４の前端に固定され、基端が第１回転軸３５の前端に固定された部材である。また連結部内壁部材３９は、一側面が開口した断面コ字状の部材であり、開口した面において連結部本体３８の内面に接合され、図７に示すネジ４１によって先端部と基端部の２箇所で連結部本体３８に固定されている。
そして図１１に示すように、これら連結部本体３８と連結部内壁部材３９で覆われた内部空間として、前記スライド空間４０が構成されている。また、連結部内壁部材３９の下面側の壁の幅が上面側の壁の幅よりも小さく設定されることによって、連結部３７の下面側には、スライド空間４０に連通する細長い開口であるスリット４２が形成されている。なおこのスリット４２には、後述する腕部４６が配置される。
【００２３】
また図７や図１１等に示す如く、連結部３７の連結部本体３８の中ほどには、後述する突部４７が付勢部材４９の付勢力によって嵌入可能な開口部４３が形成されている。この開口部４３は、取っ手部材３１の上向きの回転範囲を確保するために、連結部３７の長さ方向の大きさが、突部４７の外径よりも十分拡大された長孔となっている（詳細後述する）。
一方連結部３６は、図７に示すように、帯板状の部材であり、先端が握持バー３４の後端に固定され、基端が第１回転軸３５の後端に固定されている。なお、この連結部３６も中空状であってもよい。
また第１回動軸３５は、この場合、中空状（円筒状）の軸であり、前後方向に向けた姿勢で、自転可能に支持部材３３に取り付けられている（詳細後述する）。
【００２４】
次にスライド部材３２は、図６等に示すように、第１回動軸３５と平行な第２回動軸４４と、前記中空の連結部３７内（即ち、スライド空間４０）を連結部３７の長手方向にスライド可能なスライド部４５と、第２回動軸４４とスライド部４５を連結する腕部４６とからなる。
ここで、第２回動軸４４は、やはり中空状（円筒状）の軸であり、前後方向に向けた姿勢で、自転可能に支持部材３３に取り付けられている（詳細後述する）。また、腕部４６の長さは、連結部３７，３６の長さの略半分程度となっている。
【００２５】
スライド部４５は、図６や図１１に示すように、軸方向を前後方向に向けた円筒状の部分であり、後面側が内径と同じ大きさで開口し、前面側に内径よりも小さな開口４５ａが形成されている。またこのスライド部４５には、前記中空の連結部３７の表面（この場合、連結部本体３８の前面）に対して出没する方向（この場合、前後方向）に移動可能に支持されて先端に押圧操作用の突部４７を有する可動部材４８と、前記突部４７が前記中空の連結部３７の表面から突出する方向に可動部材４８を付勢する付勢部材４９（この場合、コイルバネ）と、が内蔵されている。なお既述したように、凸部４７は前述の連結部３７の開口部４３に嵌入可能である。また付勢部材４９は、図１１に示すように、可動部材４８の裏面と連結部内壁部材３９の内面との間に配置されている。なお、スライド部４５の後面側に固定される壁部材を設けて、この壁部材と可動部材４８の裏面との間に付勢部材４９を配置し、付勢部材４９の一端面が連結部内壁部材３９に対して滑る（摺動する）必要がない構成としてもよい。
【００２６】
次に支持部材３３は、図３や図９等に示す如く、外側面が開口した箱型の部材であり、前記収納開口２５を内側から覆うように、筐体１ａの側壁部の内面にネジ止め等によって固定されている。この支持部材３３の前面側の壁と後面側の壁には、図８に示すようなボルト５１，５２が貫通可能なボルト孔５３，５４（図８に示す）が上下に離間した位置（ボルト孔５３が上で、ボルト孔５４がその下方）に形成されている。
【００２７】
そして、前述の第１回転軸３５と第２回動軸４４は、支持部材３３の内側に前後方向に配置可能で、上記ボルト５１，５２がそれぞれ挿入可能な寸法となっており、上記ボルト５１，５２が貫通した状態に組み付けられることによって、支持部材３３によって、前後方向に向けた姿勢で自転可能に支持される。即ちボルト５１は、図８に示すように、支持部材３３（ボルト孔５３）と第１回転軸３５を貫通した状態に取り付けられ、支持部材３３の後方に突出した先端部にナット５５を締め付けることによって、支持部材３３に固定され、これにより第１回転軸３５は、ボルト５１を中心として回転可能に支持部材３３に支持されている。またボルト５２は、図８に示すように、支持部材３３（ボルト孔５４）と第２回動軸４４を貫通した状態に取り付けられ、支持部材３３の後方に突出した先端部にナット５６を締め付けることによって、支持部材３３に固定され、これにより第２回動軸４４は、ボルト５２を中心として回転可能に支持部材３３に支持されている。
【００２８】
なお、このように第１回転軸３５と第２回動軸４４が回転可能に支持されていると、結局、取っ手部材３１やスライド部材３２の全体も、それぞれボルト５１，５２を中心として回転運動可能となっている。即ち、取っ手部材３１（握持バー３４や連結部３６，３７含む）は、第１回動軸３５の自転に伴って第１回動軸３５を中心に回転可能であるとともに、スライド部材３２（スライド部４５や腕部４６を含む）は、第２回動軸４４の自転に伴って第２回動軸４４を中心に回転可能である。また、これら取っ手部材３１とスライド部材３２は、回転中心が上述したように上下に離間していて、スライド部４５において相互に連結されている構成ではあるが、スライド部４５のスライドを伴って、同時に回転することが可能である。
【００２９】
但し、前記中空の連結部３７の開口部４３に前記可動部材４５の突部４７が嵌入している状態では、取っ手部材３１やスライド部材３２の下向きの回転運動が、前記開口部４３と突部４７の係合によって阻止され、図４に示す状態（離隔状態）までに制限される構成となっている。即ち、前記開口部４３に突部４７が嵌入している状態で、連結部３７が筐体１ａの側面から側方に向かって略水平に伸びて、握持バー３４が筐体１ａの側面から最も離隔した離隔状態になると、図４に示すように、突部４７が開口部４３の一端（連結部３７の先端側の端）に当接して係合し、これによってスライド部４５の一方向（連結部３７の先端側へ向かう方向）への動きがこの係合によって制限され、これに伴って取っ手部材３１とスライド部材３２の下向きの回転運動がこの位置までに制限されるように、開口部４３の寸法等が設定されている。したがって、前記開口部４３に突部４７が嵌入している状態では、上記離隔状態までに取っ手部材３１やスライド部材３２の下向きの回転運動が制限され、外力を加えていない自由状態では、取っ手部材３１やスライド部材３２が重力に反して上記隔離状態に維持される。
【００３０】
これに対して、前記開口部４３に突部４７が嵌入していない状態では、スライド部４５の一方向（連結部３７の先端側へ向かう方向）への動きも十分に大きく可能となるため、取っ手部材３１やスライド部材３２を下向きに大きく回転させて、図５に示す収納状態（取っ手部材３１やスライド部材３２が収納開口２５内に収納された状態）とすることが可能となる。即ち、前記隔離状態において、前記突部４７が押圧操作されてスライド部４５内に押し込まれ、前記突部４７と開口部４３の係合が解除されると、スライド部４５の一方向への動きが可能となることによって、前記隔離状態から収納状態まで、取っ手部材３１とスライド部材３２の下向きの回転運動が可能となる構成となっている。
【００３１】
また、取っ手部材３１とスライド部材３２の上向きの回転運動は、前記開口部４３に突部４７が嵌入しているか否かにかかわらず、図３に示す回転制限状態（連結部３７の先端側が水平より上向きの所定角度になった状態）まで可能であり、この回転制限状態においては、前記突部４７が前記開口部４３に対して遊嵌状態となる構成となっている。
【００３２】
即ち、取っ手部材３１が離隔状態から上向きに回転運動するのに伴って前記スライド部４５がスライドする他方向（連結部３７の基端側へ向かう方向）に、前記開口部４３の長さが十分拡大されており、取っ手部材３１やスライド部材３２が前記離隔状態を超えて上向きに回転運動可能となっている。また、取っ手部材３１には、前記離隔状態を超えた上向きの回転運動を所定角度までに制限するためのストッパ部６１が設けられ、筐体１ａの側壁部には、前記ストッパ部６１に当接して、取っ手部材３１の前記所定角度（回転制限状態）までの回転制限を実現する当接部６２が設けられている。
そして、前記ストッパ部６１が当接部６２に当接した回転制限状態においては、図３に示すように、前記突部４７と、前記開口部４３の他端（連結部３７の基端側の端）との間にも、十分な隙間が確保され、これらが当接しないように、開口部４３の大きさが設定されている。
【００３３】
なお図２に示すように、上記隔離状態における取っ手部材３１の筐体側面からの突出長さＬ１は、好ましくは、全開状態にある前面枠２が筐体側面から張り出す長さＬ２に比べて、同じか大きく設定されている。これにより、取っ手部材３１を上記隔離状態としたままスロットマシン１を設置すれば、必ず所定の間隙（隣の遊技機との間で前面枠２の干渉が生じないようにする隙間）が隣の遊技機との間に設定される。
【００３４】
以上説明した本例のスロットマシン１によれば、取っ手部材３１を重力に反して筐体側面から離隔した離隔状態に維持できるので、この取っ手部材３１を利用して、隣の遊技機（例えば、同じスロットマシン１）との間の間隙が形成されているか否かを確認することが、容易に可能となり、そのための治具（スペーサ）を別個に用意したり、前面枠２を開放したりする必要が無く、島設備への設置作業の能率を格段に向上できる。
また、筐体側面から離隔した離隔状態に維持された取っ手部材３１を、突部４７の押圧操作によって、収納開口２５に収納された収納状態に回転させることができるので、例えばスロットマシン１が島設備の端に設置されるような場合に、島設備の端側の取っ手部材３１をこの収納状態としておくことによって、この位置に無駄な空間を形成することがない。
【００３５】
また本例のスロットマシン１によれば、取っ手部材３１の握持バー３４を握ってスロットマシン１を持ち上げると、ストッパ部６１が当接部６２に当接した状態となり、スロットマシン１を取っ手部材３１を使って容易に持ち上げることが可能となる。しかも、このように持ち上げた状態においては、突部４７が開口部４３に対して遊嵌状態となるので、スロットマシン１を持ち上げたときのスロットマシン１の重さによる加重をスライド部４５や中空の連結部３７に掛けずに済み、スライド部４５や中空の連結部３７の損傷が防止でき、スライド部４５の離隔状態維持機能を損なうことがない。
【００３６】
なお、本発明は上述した形態例に限られず、各種の変形や応用があり得る。
例えば、上記形態例では、第２回転軸４４を第１回転軸３５の下方に配置した構成を説明したが、第２回転軸４４を第１回転軸３５の上方に配置した構成とすることも可能である。但しこの場合には、突部４７と開口部４３の係合位置が逆となる。また、第２回転軸４４と第１回転軸３５は、必ずしも鉛直方向一直線上に並ぶ位置に設けられる必要はなく、腕部４６の長さ等の仕様も上記形態例に限定されるものではない。取っ手部材３１の前述した動作が実現できる構成であれば、各部材の形状寸法や、配置関係などの詳細仕様は、適宜変更できる。
また取っ手ユニット３０は、筐体の両側に設ける必要は必ずしもない。例えば、筐体の片側（前面枠が開く側）だけに設けて、他側には、単に遊技機を持ち上げるための手の挿入部を設けるだけの構成でもよい。
【００３７】
また、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【図面の簡単な説明】
【００３８】
【図１】スロットマシンの前面側斜視図である。
【図２】スロットマシン（前面枠を開けた状態）の上面図である。
【図３】取っ手ユニットの回転制限状態を示す前面図である。
【図４】取っ手ユニットの離隔状態を示す前面図である。
【図５】取っ手ユニットの収納状態を示す前面図である。
【図６】スライド部材等を示す分解斜視図である。
【図７】取っ手部材とスライド部材を示す分解斜視図である。
【図８】取っ手部材とスライド部材の支持部材への取付構成を示す斜視図である。
【図９】取っ手ユニットを斜め下から見上げた斜視図である。
【図１０】取っ手部材とスライド部材の縦断面図である。
【図１１】図１０におけるＡ−Ａ断面図である。
【符号の説明】
【００３９】
１  スロットマシン（遊技機）
１ａ  筐体
２  前面枠
２ａ  ヒンジ
１０  表示装置
１０ａ、１０ｂ、１０ｃ  リール（表示部）
２５  収納開口
３０  取っ手ユニット
３１  取っ手部材
３２  スライド部材
３３  支持部材
３４  握持バー
３５  第１回動軸
３６  連結部
３７  中空の連結部
４３  開口部
４４  第２回動軸
４５  スライド部
４６  腕部
４７  突部
４８  可動部
４９  付勢部材
６１  ストッパ部
６２  当接部
【図１】
2007175359.tif 000003
【図２】
2007175359.tif 000004
【図３】
2007175359.tif 000005
【図４】
2007175359.tif 000006
【図５】
2007175359.tif 000007
【図６】
2007175359.tif 000008
【図７】
2007175359.tif 000009
【図８】
2007175359.tif 000010
【図９】
2007175359.tif 000011
【図１０】
2007175359.tif 000012
【図１１】
2007175359.tif 000013